(57)【要約】      （修正有）【課題】あるユーザーの所有する画像データを、他の居室にいるユーザーが視認可能な表示装置に共有して表示できる、画像共有装置を提供する。【解決手段】画像共有装置１は、ネットワーク接続される複数の表示装置と接続され、複数の表示装置の少なくとも一つ２００Ａから、画像を共有したいグループ表示装置としての区分を示すグループ要求信号を受信し、受信したグループ要求信号に基づいて、複数の表示装置においてグループ化される表示装置２００Ｂを決定し、複数の表示装置の少なくとも一つから送信される画像を、グループ化された表示装置においてのみ共有できる共有画像として記憶し、共有画像を読み出し、グループ化された表示装置にのみに表示させる。【選択図】図３
2019028903.tif 000002
【特許請求の範囲】
【請求項１】
画像を記憶できる記憶部と、
前記記憶部とネットワーク接続される複数の表示装置の少なくとも一つ（以下、「発信表示装置」という）からの画像を、前記記憶部に書き込む書き込み部と、
前記複数の表示装置の内、グループ化された表示装置（以下、「グループ表示装置」という）に、前記記憶部に記憶されている画像を読み出す読み出し部と、
前記読み出し部によって読み出された前記画像を、前記グループ表示装置に表示する表示制御部と、
前記記憶部、前記書き込み部、前記読み出し部、前記表示制御部および前記表示装置の少なくとも一つを制御する制御部と、を備え、
前記制御部は、前記発信表示装置からのグループ要求信号を受信し、当該グループ要求信号は、前記複数の表示装置の内、発信表示装置が画像を共有したいグループ表示装置として区分することを示しており、
前記制御部は、受信した前記グループ要求信号に基づいて、前記複数の表示装置においてグループ表示装置を決定し、
前記書き込み部は、前記発信表示装置からの画像を、前記グループ表示装置においてのみ共有できる共有画像として、前記記憶部に書き込み、
前記読み出し部は、前記グループ表示装置のみに、前記共有画像を読み出し、
前記表示制御部は、前記共有画像を、前記グループ表示装置のみに表示する、画像共有装置。
【請求項２】
前記複数の表示装置は、施設における区切られた複数の居室のそれぞれに設置されている、請求項１記載の画像共有装置。
【請求項３】
前記施設は、宿泊施設であり、前記居室は該宿泊施設の部屋であり、前記表示装置は、前記部屋に設置されている受像機である、請求項２記載の画像共有装置。
【請求項４】
前記発信表示装置から前記記憶部に書き込まれる前記共有画像は、前記発信表示装置を使用するユーザーが所有する携帯端末に記憶されている、請求項１から３のいずれか記載の画像共有装置。
【請求項５】
前記共有画像は、前記携帯端末から前記発信表示装置に送信されてから、前記記憶部に書き込まれる、請求項４記載の画像共有装置。
【請求項６】
前記発信表示装置は、前記複数の表示装置の内、グループ表示装置としてグループ化したい表示装置の識別子を指定する前記グループ要求信号を、前記制御部に送信し、
前記制御部は、前記グループ要求信号に含まれる識別子に対応する前記表示装置に、グループ化の同意を問い合わせる問い合わせ信号を送信する、請求項１から５のいずれか記載の画像共有装置。
【請求項７】
前記問い合わせ信号を受信した前記表示装置は、当該表示装置のユーザーによって、了承もしくは拒否の回答信号を、前記制御部に送信し、
前記制御部は、前記了承の回答信号を送信した前記表示装置を、前記グループ表示装置として決定する、請求項６記載の画像共有装置。
【請求項８】
前記制御部によって前記グループ表示装置として決定された表示装置は、前記発信表示装置から前記記憶部に書き込まれた前記共有画像を、前記記憶部から読み出して表示することができる、請求項７記載の画像共有装置。
【請求項９】
前記発信表示装置は、前記グループ表示装置の一部を構成し、
前記グループ表示装置の少なくとも一部は、前記記憶部に、前記グループ表示装置で共有可能な共有画像を書き込むことができる、請求項８記載の画像共有装置。
【請求項１０】
前記グループ要求信号を受信していない前記表示装置は、前記グループ表示装置となることができない、請求項６から９のいずれか記載の画像共有装置。
【請求項１１】
前記記憶部に書き込まれた前記共有画像は、所定時間経過後もしくは所定時刻に消去される、請求項１から１０のいずれか記載の画像共有装置。
【請求項１２】
前記書き込み部は、前記発信表示装置からの画像に含まれる撮像日時、撮像場所、撮像人物の色味および撮像人物の少なくとも一つに基づいて、当該画像を前記記憶部に書き込むか否かを判定する、請求項１から１１のいずれか記載の画像共有装置。
【請求項１３】
制御部は、前記グループ表示装置の一定数以上が、好ましくないと判断した前記共有画像を、前記記憶部から消去可能である、請求項１２記載の画像共有装置。
【請求項１４】
前記制御部は、前記グループ表示装置が、前記共有画像をダウンロードすることを制限できる、請求項１から１３のいずれか記載の画像共有装置。
【請求項１５】
前記制御部は、受信した前記グループ要求信号が示す前記居室に、特定の関係性を含んでいない居室が含まれる場合には、前記発信表示装置に警告を出力する、請求項１から１４のいずれか記載の画像共有装置。
【発明の詳細な説明】
【技術分野】
【０００１】
本発明は、異なる居室にいるユーザーが、あるユーザーが所有する画像データを、複数の居室にいるユーザーが閲覧できるように共有して表示できる、画像共有装置に関する。
【背景技術】
【０００２】
近年、スマートフォンやタブレット端末などの携帯端末が非常に普及している。これらを使用するユーザーの使用目的は、通信や通話だけでなく、画像（静止画、動画）を撮像することが多くなっている。もちろん、従来通りのデジタルカメラで画像を撮像することも多いが、携帯端末であれば、常時持ち歩いていることから、これらで撮像することが多くなってきている。
【０００３】
また、ソーシャルネットワーキングサービス（以下、「ＳＮＳ」という）や、自身のホームページに画像と文章などを掲載することも流行っており、このためにも、多くの画像を撮像したい欲求が高まっている。デジタルカメラで撮像することも多いが、すぐにネットワーク接続できるように、スマートフォンなどの携帯端末で画像を撮像するユーザーも多い。
【０００４】
このように、様々な画像を撮像したいとの欲求を持つ多くのユーザーが存在する。これらの多くのユーザーが、様々な場所で様々な画像を撮像する。この撮像によって、ユーザーのそれぞれが所有する携帯端末や撮像装置に、多くの画像データが蓄積されていく。
【０００５】
また、上述のように、近年では、自身が撮像した画像を、ネットワーク上で公開したり、ネットワークでつながっている友人などに見せたりすることを希望することが多い。すなわち、多くのユーザーは、自身が撮像した画像を、自身で見るだけでなく、友人や知り合い同士で共有してみたいと思うことが多い。また、友人や知人が撮像した画像を見たいという欲求もある。
【０００６】
すなわち、ユーザーのそれぞれが撮像した画像を友人などに見せたい、あるいは友人の撮像した画像を見たい、といった画像の共有を欲することが多くなってきている。過去においては、フィルム式カメラによって撮像し、印画紙にプリントした写真をお互いに見ることはできたが、現在のようにデジタルカメラなどのデジタル方式で撮像した画像は、プリントするよりも表示装置に表示することが多い。このため、昔のように、プリントした画像を一緒に見ることが難しくなっている。
【０００７】
ＳＮＳや自身のホームページにアップロードして画像を発信するだけであれば自身が撮像して蓄積している画像を見せることは事後的に可能である。しかしながら、場合によっては、すぐに友人や知人と一緒に画像を見たい場合もある。ＳＮＳやホームページにアップロードして共有するには時間がかかる場合もあるし、友人や知人がすぐに見てくれるとは限らない。友人や知人が見てくれる場合でも、自身と一緒のタイミングで見てくれるとは限らない。
【０００８】
また、撮像を行ったユーザーの全てが、ＳＮＳやホームページにアップロードできるとは限らない。もちろん、共有したい友人や知人の全てが、ＳＮＳやホームページにアクセスできるとは限らない。また、一緒に見たいのは、何らかの行事において撮像した画像を、同じ行事に参加していた友人などに見せたいと思う場合もある。
【０００９】
このように、撮像した画像を、友人や知人と一緒に見たいとの欲求が様々な場所にある。
【００１０】
このような状況において、ネットワーク通信可能な携帯端末同士をネットワークで接続して、携帯端末に記録されている画像を共有する技術が提案されている（例えば、特許文献１参照）。
【先行技術文献】
【特許文献】
【００１１】
【特許文献１】特開２０１１−０７７９９２号公報
【発明の概要】
【発明が解決しようとする課題】
【００１２】
特許文献１は、第１の端末は、デジタルデータ、データ指定データと共有先指定データとを中継サーバに送信し、第２の端末は、自動接続先情報を予め格納し、第２の端末のユーザからの指示に応答して自動接続先情報に基づいて、第２の端末を指定する端末指定データを含む接続要求を中継サーバに送信し、中継サーバは、第１の端末からのデジタルデータをデータベースに格納し、データ指定データと共有先指定データとの組をプロファイルに格納し、第２の端末からの接続要求に応答して、端末指定データに基づいてプロファイルを参照してデータ指定データを読み出し、読み出されたデータ指定データに基づいてデータベースからデジタルデータを読み出して第１のポータルに格納し、端末指定データに基づいてデジタルデータを第１のポータルから第２の端末に提示する技術を開示する。
【００１３】
特許文献１は、デジタルデータを、ネットワーク経由で他のネットワーク端末において共有できる技術を提案している。
【００１４】
しかしながら、特許文献１に開示される技術は、共有したい画像データを記録している端末が、共有したい端末と直接ネットワークに繋がっている必要がある。また、共有できる端末もネットワークと繋がっている端末である必要がある。すなわち、特許文献１での技術を用いて、あるユーザーが撮像して記録している画像データを、友人などと共有して一緒に見るためには、自身および友人などが、ネットワークと接続されたパーソナルコンピューターや携帯端末を所有している必要がある。このため、多くの人と一緒に見ることの目的には合致しない。
【００１５】
特に、一緒に見たい友人や知人の全てが、ネットワークに接続する端末を所有しており、ネットワーク上でこれを操作して共有したり表示させたりする操作を簡単に行えるとは限らない。この理由でも、目的には合致しない。
【００１６】
また、多くのユーザーがスマートフォンを所有していることが多いが、これは画面が小さく、あるユーザーの画像を表示してみるには、不適であることも多い。
【００１７】
具体的には、あるユーザーが撮像した画像を友人や知人と共有してみたい場合とは、次のような場合が想定される。
【００１８】
例えば、結婚式に友人や親戚と一緒に出席することがある。出席者のそれぞれは、自身の携帯端末や撮像端末で画像を撮像する。その後、出席者の多くは、同じホテルに宿泊することがある。出席者は、ホテルの中のそれぞれ異なる部屋に宿泊して、別々となる。そのあとで、出席者の誰かが、自身が撮像した画像を他の出席者にも見せたいと思うことがある（すなわち、共有して見たいと考える）。
【００１９】
あるいは、他の出席者の誰かが撮像していた画像を、部屋に戻ってから見たいと思うこともある。このような場合には、一緒に見たい相手の部屋に行ったり、部屋に相手を呼んでから自身の携帯端末や撮像端末で画像を見るのは面倒である。それぞれ、部屋でくつろいでいるからであるし、表示画面も小さいからである。
【００２０】
このような場合には、それぞれが部屋でくつろいでいながら、誰かの撮像した画像データを共有して、部屋に備わっているテレビなどの大型の表示画面で、画像を一緒に見ることができれば便利である。
【００２１】
これは、ホテルなどの宿泊施設に限ったことでは無く、オフィスなどの各居室にユーザーが在室している場合や、特定の施設の異なる居室のそれぞれにユーザーが在室している場合でも同様である。
【００２２】
このように、ある建物における異なる部屋にユーザーが在室している場合において、他のユーザーに移動を求めることなく、自身の所有する画像データや他のユーザーの所有する画像データを共有して見ることのできる技術が求められている。
【００２３】
本発明は、これらの課題に鑑み、あるユーザーの所有する画像データを、他の居室にいるユーザーが視認可能な表示装置に共有して表示できる、画像共有装置を提供することを目的とする。
【課題を解決するための手段】
【００２４】
上記課題に鑑み、本発明の画像共有装置は、画像を記憶できる記憶部と、
記憶部とネットワーク接続される複数の表示装置の少なくとも一つ（以下、「発信表示装置」という）からの画像を、記憶部に書き込む書き込み部と、
複数の表示装置の内、グループ化された表示装置（以下、「グループ表示装置」という）に、記憶部に記憶されている画像を読み出す読み出し部と、
読み出し部によって読み出された画像を、グループ表示装置に表示する表示制御部と、
記憶部、書き込み部、読み出し部、表示制御部および表示装置の少なくとも一つを制御する制御部と、を備え、
制御部は、発信表示装置からのグループ要求信号を受信し、当該グループ要求信号は、複数の表示装置の内、発信表示装置が画像を共有したいグループ表示装置として区分することを示しており、
制御部は、受信したグループ要求信号に基づいて、複数の表示装置においてグループ表示装置を決定し、
書き込み部は、発信表示装置からの画像を、グループ表示装置においてのみ共有できる共有画像として、記憶部に書き込み、
読み出し部は、グループ表示装置のみに、共有画像を読み出し、
表示制御部は、共有画像を、グループ表示装置のみに表示する。
【発明の効果】
【００２５】
本発明の画像共有装置は、ホテルや施設などの複数の居室のそれぞれに分かれて在室している友人等に、自身の所有する画像データを共有して、見せることができる。このとき、複雑な操作が不要なので、見る側のＩＴリテラシーが低い場合でも、共有された画像を簡単に見ることができる。また、別のユーザーの画像を相互に共有することもでき、友人などと一緒に、画像を相互に見せ合うこともできるようになる。
【００２６】
また、ホテルや施設などの居室に設置してあるテレビなどの表示画面を利用して、共有した画像を表示できるので、大きな画面で画像を見ることができ、臨場感が向上する。また、設置されているテレビなどが利用されることで、余分なデバイスなどを持参したり、操作したりする必要がなく、ユーザーフレンドリーが高い。
【００２７】
結果として、画像をお互いに共有して見ることができて、様々な行事における楽しみを向上させることができる。
【図面の簡単な説明】
【００２８】
【図１】本発明の実施の形態１における複数の居室を有する施設の模式図である。
【図２】本発明の実施の形態１における施設と画像共有装置との関係を示すブロック図である。
【図３】本発明の実施の形態１における画像共有装置のブロック図である。
【図４】本発明の実施の形態１における画像の共有状態を示す模式図である。
【図５】本発明の実施の形態２における発信表示装置と携帯端末との関係を示す模式図である。
【図６】本発明の実施の形態３におけるグループ化を示す模式図である。
【図７】本発明の実施の形態３におけるグループ表示装置のいずれかから共有画像が書き込まれる状態を示すブロック図である。
【図８】本発明の実施の形態４における記憶部に書き込まれた共有画像の消去を説明するフローチャートである。
【発明を実施するための形態】
【００２９】
本発明の第１の発明に係る画像共有装置は、画像を記憶できる記憶部と、
記憶部とネットワーク接続される複数の表示装置の少なくとも一つ（以下、「発信表示装置」という）からの画像を、記憶部に書き込む書き込み部と、
複数の表示装置の内、グループ化された表示装置（以下、「グループ表示装置」という）に、記憶部に記憶されている画像を読み出す読み出し部と、
読み出し部によって読み出された画像を、グループ表示装置に表示する表示制御部と、
記憶部、書き込み部、読み出し部、表示制御部および表示装置の少なくとも一つを制御する制御部と、を備え、
制御部は、発信表示装置からのグループ要求信号を受信し、当該グループ要求信号は、複数の表示装置の内、発信表示装置が画像を共有したいグループ表示装置として区分することを示しており、
制御部は、受信したグループ要求信号に基づいて、複数の表示装置においてグループ表示装置を決定し、
書き込み部は、発信表示装置からの画像を、グループ表示装置においてのみ共有できる共有画像として、記憶部に書き込み、
読み出し部は、グループ表示装置のみに、共有画像を読み出し、
表示制御部は、共有画像を、グループ表示装置のみに表示する。
【００３０】
この構成により、グループ化された制限の中で、画像を共有できる。特に、宿泊施設などの施設の中で、改めて集まらずに居室にいる状態のまま、共有画像を閲覧等できる。
【００３１】
本発明の第２の発明に係る画像共有装置では、第１の発明に加えて、複数の表示装置は、施設における区切られた複数の居室のそれぞれに設置されている。
【００３２】
この構成により、異なる居室にいる状態で、画像を共有できる。
【００３３】
本発明の第３の発明に係る画像共有装置では、第２の発明に加えて、施設は、宿泊施設であり、居室は該宿泊施設の部屋であり、表示装置は、部屋に設置されている受像機である。
【００３４】
この構成により、すでに設置されている受像機を用いて、共有画像の閲覧や送信を行うことができる。受像機が設置されている施設において、すぐに画像共有装置を設置使用できるようになる。
【００３５】
本発明の第４の発明に係る画像共有装置では、第１から第３のいずれかの発明に加えて、発信表示装置から記憶部に書き込まれる共有画像は、発信表示装置を使用するユーザーが所有する携帯端末に記憶されている。
【００３６】
この構成により、共有画像を、ユーザーの意思によって共有できる。
【００３７】
本発明の第５の発明に係る画像共有装置では、第４の発明に加えて、共有画像は、携帯端末から発信表示装置に送信されてから、記憶部に書き込まれる。
【００３８】
この構成により、ユーザーが所有する画像を、施設に設置の受像機を通じて共有できるようになる。
【００３９】
本発明の第６の発明に係る画像共有装置では、第１から第５のいずれかの発明に加えて、発信表示装置は、複数の表示装置の内、グループ表示装置としてグループ化したい表示装置の識別子を指定するグループ要求信号を、制御部に送信し、
制御部は、グループ要求信号に含まれる識別子に対応する表示装置に、グループ化の同意を問い合わせる問い合わせ信号を送信する。
【００４０】
この構成により、グループ化を確実に行うことができる。
【００４１】
本発明の第７の発明に係る画像共有装置では、第６の発明に加えて、問い合わせ信号を受信した表示装置は、当該表示装置のユーザーによって、了承もしくは拒否の回答信号を、制御部に送信し、
制御部は、了承の回答信号を送信した表示装置を、グループ表示装置として決定する。
【００４２】
この構成により、グループ化の意思を確認した上で、グループ化できる。安心して、画像を共有することができる。
【００４３】
本発明の第８の発明に係る画像共有装置では、第７の発明に加えて、制御部によってグループ表示装置として決定された表示装置は、発信表示装置から記憶部に書き込まれた共有画像を、記憶部から読み出して表示することができる。
【００４４】
この構成により、グループ表示装置は、共有画像の共有や閲覧が可能となる。
【００４５】
本発明の第９の発明に係る画像共有装置では、第８の発明に加えて、発信表示装置は、グループ表示装置の一部を構成し、
グループ表示装置の少なくとも一部は、記憶部に、グループ表示装置で共有可能な共有画像を書き込むことができる。
【００４６】
この構成により、グループ化されたグループ表示装置も発信表示装置と同じく、画像を共有に提供することができる。結果として、グループ全体での楽しみが向上する。
【００４７】
本発明の第１０の発明に係る画像共有装置では、第６から第９のいずれかの発明に加えて、グループ要求信号を受信していない表示装置は、グループ表示装置となることができない。
【００４８】
この構成により、仲間内で閉じたグループを作ることができる。
【００４９】
本発明の第１１の発明に係る画像共有装置では、第１から第１０のいずれかの発明に加えて、記憶部に書き込まれた共有画像は、所定時間経過後もしくは所定時刻に消去される。
【００５０】
この構成により、共有画像の流出を防止できる。
【００５１】
本発明の第１２の発明に係る画像共有装置では、第１から第１１のいずれかの発明に加えて、書き込み部は、発信表示装置からの画像に含まれる撮像日時、撮像場所、撮像人物の色味および撮像人物の少なくとも一つに基づいて、当該画像を記憶部に書き込むか否かを判定する。
【００５２】
この構成により、好ましくない画像や共有すべきでない画像を、共有させずにできる。
【００５３】
本発明の第１３の発明に係る画像共有装置では、第１２の発明に加えて、制御部は、グループ表示装置の一定数以上が、好ましくないと判断した共有画像を、記憶部から消去可能である。
【００５４】
この構成により、共有画像の取り扱いを慎重にできる。
【００５５】
本発明の第１４の発明に係る画像共有装置では、第１から第１３のいずれかの発明に加えて、制御部は、グループ表示装置が、共有画像をダウンロードすることを制限できる。
【００５６】
この構成により、共有画像が外部に流出したり、権利関係の問題を未然防止できる。
【００５７】
本発明の第１５の発明に係る画像共有装置では、第１から第１４のいずれかの発明に加えて、制御部は、受信したグループ要求信号が示す居室に、特定の関係性を含んでいない居室が含まれる場合には、発信表示装置に警告を出力する。
【００５８】
この構成により、グループ化において、関係ない居室をグループに入れる危険性を低減できる。
【００５９】
以下、図面を用いながら本発明の実施の形態について説明する。
【００６０】
（実施の形態１）
（使用環境）
図１は、本発明の実施の形態１における複数の居室を有する施設の模式図である。施設１００は、複数の居室１１０を備えている。例えば、施設１００は、ホテルなどの宿泊施設であり、居室１１０は、宿泊施設の備えるそれぞれの部屋である。
【００６１】
施設１００には、複数の居室１１０がある。居室１１０は、図１に示されるように、場所を示す区別があり、１０１号室、１０２号室、１０３号室〜４０４号室とのように区別されている。居室１１０は、このように異なるように区別されている。１０１号室〜４０４号室のそれぞれに、例えば宿泊者がいる（勿論、全ての居室１１０が埋まっているとは限らない）。
【００６２】
居室１１０のそれぞれには、表示装置２００が設置されている。表示装置２００は、例えばテレビジョンであり、施設１００が宿泊施設であれば、居室１１０のそれぞれに予め設置されている。また、表示装置２００は、ネットワークを介して後述する画像共有装置と接続されている。ネットワーク接続は、無線接続であってもよいし、有線接続であってもよい。近年のホテルなどは、インターネット接続されたテレビジョンが設置されており、このテレビジョンが表示装置２００として使用されればよい。あるいは、ネットワーク接続しているのは、テレビジョンに接続されているセットトップボックスでもよい。
【００６３】
図１では、１０１号室〜４０４号室のそれぞれに表示装置２００が設置されている。画像共有装置１は、この表示装置２００を介して画像の共有や表示を行うことができる。すなわち、画像共有装置のユーザーは、表示装置２００を用いて、画像の共有を行って、共有された画像を見ることができる。ここで、施設１００が宿泊施設である場合には、ユーザーは、宿泊客である。
【００６４】
施設１００が宿泊施設である場合には、何らかの集まりに参加した複数の宿泊客が、この施設１００の居室１１０のそれぞれに分かれて宿泊する。すべての居室１１０に宿泊しているとは限らず、複数の居室１１０の内、いずれかに宿泊客が宿泊している。この宿泊客のいずれかが、同じグループの宿泊客と画像を一緒に見たいとの欲求がある場合に、本発明の画像共有装置が使用される。
【００６５】
（全体概要）
【００６６】
図２は、本発明の実施の形態１における施設と画像共有装置との関係を示すブロック図である。図３は、本発明の実施の形態１における画像共有装置のブロック図である。
【００６７】
上述したように、施設１００の複数の居室１１０に、同じグループのユーザーが在室していることがある。例えば、ある会合に出席した複数のユーザーのそれぞれが、施設１００の居室１１０のいずれかに在室することがある。１０１号室〜４０４号室のいくつかには、同じグループのユーザーが在室している状態となる。在室状態となった後で、あるユーザーが画像をみんなと一緒に見たい場合がある。しかしながら、在室後では、改めてグループのみんなと集まりなおすことは不便であることが多い。もちろん、自身の部屋にグループのみんなを呼ぶことも不便である。
【００６８】
グループのみんなで一緒にとった写真や動画などの画像を、あるユーザーが所有しており、これを皆で一緒に見たいという欲求が生じる場合がある。会合が結婚式や親戚の集まりなどの時には、あるユーザーが撮像した写真を、改めてみんなで一緒に見たい場合などである。しかし、上述のようにグループのみんなは、別々の居室１１０に在室しているので、みんなで一緒に見ようと思う場合には、居室１１０のそれぞれに設置されている表示装置２００を利用することが適当である。
【００６９】
このような場合に、画像共有装置１が使用される。このため、図２のように、画像共有装置１は、施設１００との組み合わせで使用される。また、画像共有装置１は、施設１００の居室１１０に設置されている表示装置２００との通信が可能な状態である。無線や有線などでネットワーク接続されている。例えば、表示装置２００がネットワーク接続されている場合には、画像共有装置１が、このネットワーク接続に加わることでもよい。インターネット経由での接続であってもよい。
【００７０】
画像共有装置１は、施設１００におけるある居室１１０のユーザーによる、画像の共有の欲求に対応する。このため、画像共有装置１は、施設１００に設置されてもよい。あるいは、遠隔対応として、画像共有装置１は、施設１００と離隔した場所に設置されてもよい。
【００７１】
画像共有装置１は、記憶部２、書き込み部３、読み出し部４、表示制御部５、制御部６を、備える。
【００７２】
記憶部２は、画像を記憶できる。あるユーザーがグループのみんなと共有したい画像を記憶することができる。記憶部２は、画像共有装置１の専用の記憶装置であってもよいし、施設１００に設置されているコンピューターやその他のサーバーなどの記憶装置が利用されてもよい。記憶部２は、コンピューターに備わっているメモリやハードディスクであればよい。
【００７３】
書き込み部３は、画像を記憶部２に書き込む。ここで、複数の居室１１０に設置されている表示装置２００の内、あるユーザーが在室している居室１１０に設置されている表示装置２００が、画像共有の意思表示を行うことが起点となる。この居室１１０に在室しているユーザーが、自身の有する画像を、他の居室１１０にいるグループのユーザーと一緒に見たい場合などである。
【００７４】
図２では、居室１１０の内、２０１号室のユーザーがこの意思表示を行う例が示されている。２０１号室のユーザーが意思表示を行う場合には、このユーザーは、２０１号室に設置されている表示装置２００を基点として、どの居室１１０をグループ化したいのか、画像を共有したいのかを、作ることができる。このため、２０１号室に設置されている表示装置２００は、発信表示装置２００Ａとしての位置づけとなる。発信表示装置２００Ａは、複数の居室１１０のそれぞれに設置されている表示装置２００の内、少なくとも一つがなる。
【００７５】
書き込み部３は、この発信表示装置２００Ａからの画像を記憶部２に書き込む。
【００７６】
読み出し部４は、記憶部に記憶されている画像を読み出す。この読み出す画像は、書き込み部３が記憶部２に書き込んだ画像である。ここで、読み出し部４は、複数の居室１１０のそれぞれに設置されている表示装置２００の内、グループ化された表示装置２００に向けて、画像を読み出す。すなわち、施設１００に設置されている複数の表示装置２００の内、グループ化された表示装置（以下、「グループ表示装置」という）に対して、読み出し部４は、画像を読み出す。
【００７７】
図２では、１０２号室、２０４号室、３０２号室、４０３号室がグループ化されており、これらの居室１１０に設置されている表示装置が、グループ表示装置２００Ｂである。発信表示装置２００Ａは、グループ表示装置２００Ｂとの間で、画像を共有できる。共有できるとは、発信表示装置２００Ａが記憶部２に書き込んだ画像を、グループ表示装置２００Ｂが閲覧可能となることである。
【００７８】
表示制御部５は、読み出し部４によって読み出されたが画像を、グループ表示装置２００Ｂに表示する。この画像は、発信表示装置２００Ａとグループ表示装置２００Ｂとで共有される記憶部２に書き込まれた画像は、共有画像である。以下、この書き込まれて共有される画像であって、グループ表示装置２００Ｂのみで共有される画像を、「共有画像」という。
【００７９】
制御部６は、記憶部２、書き込み部３、読み出し部４、表示制御部５および表示装置２００の少なくとも一つを制御する。制御部６は、画像共有装置１全体をコントロールする役割をもっている。
【００８０】
（動作概要）
図２、３を用いて、画像共有装置１の動作概要を説明する。図２にあるように２０１号室に在室するユーザーが、自身の所有する画像を、施設１００の他の居室１１０のユーザーと一緒に見たいとの共有の意思を持つ。この２０１号室に設置されている表示装置２００が、発信表示装置２００Ａとなる。発信表示装置２００Ａは、複数の表示装置２００の一つ以上をグループ化する主体であって、共有画像を共有させる主体である。
【００８１】
発信表示装置２００Ａは、制御部６に、グループ要求信号を送信する。グループ要求信号は、複数の表示装置２００の内、発信表示装置２００Ａが共有画像を共有したい表示装置であり、これらを他の表示装置２００とは区別して、グループ表示装置２００Ｂとして区分することを要求する指示を含む。
【００８２】
図２では、１０２号室、２０４号室、３０２号室、４０３号室に設置されている表示装置が、グループ表示装置２００Ｂとして区別されることを、グループ要求信号は含んでいる。
【００８３】
制御部６は、このグループ要求信号を受信する。図３では、この受信経路が示されている。制御部６は、グループ要求信号に基づいて、複数の表示装置２００において対象となるグループ表示装置２００Ｂを決定する。図２では、１０２号室、２０４号室、３０２号室、４０３号室に設置されている表示装置を、グループ表示装置２００Ｂとして、制御部６は決定する。この結果、１０２号室、２０４号室、３０２号室、４０３号室に設置されている表示装置が、グループ表示装置２００Ｂとなって、発信表示装置２００Ａから記憶部２に書き込まれた共有画像が、グループ表示装置２００Ｂにおいて閲覧可能な状態となる。  
【００８４】
次いで、制御部６は、このグループ表示装置２００Ｂの決定と内容を、書き込み部および発信表示装置２００Ａに通知する。この通知によって、１０２号室、２０４号室、３０２号室、４０３号室に設置されている表示装置２００は、自身がグループ表示装置２００Ｂとなったことを認識できる。実際には、１０２号室、２０４号室、３０２号室、４０３号室に在室しているユーザーが、これを認識できる。同様に、２０１号室に設置されている発信表示装置２００Ａは、これらの表示装置が、グループ表示装置２００Ｂとなったことを認識できる。  
【００８５】
発信表示装置２００Ａは、グループ表示装置２００Ｂと共有したい共有画像を、書き込み部３に送信する。書き込み部３は、この共有画像を、記憶部２に書き込む。このとき、書き込み部３は、共有画像を、グループ表示装置２００Ｂのみ（発信表示装置２００Ａを含む）で共有可能として、記憶部２に書き込む。
【００８６】
読み出し部４は、この記憶部２に書き込まれた共有画像を読み出す。読み出されたことを受けて、表示制御部５は、グループ表示装置２００Ｂに対して、共有画像を表示する。このとき、表示制御部５は、グループ表示装置２００Ｂのみに対して表示を行う。もちろん、発信表示装置２００Ａも表示可能であるが、これは、発信表示装置２００Ａがもともと有している共有画像をそのまま表示することと同義である。
【００８７】
ここで、表示制御部５が、グループ表示装置２００Ｂに共有画像を表示させるが、グループ表示装置２００Ｂに対して、共有画像の表示が可能となったことを通知することでもよい。この通知を受けたグループ表示装置２００Ｂが、共有画像の表示命令信号を、表示制御部５に出力する。この表示命令信号に基づいて、表示制御部５は、共有画像を、グループ表示装置２００Ｂに表示する。
【００８８】
図３は、以上の流れを示している。これらの画像共有装置１の動作手順によって、発信表示装置２００Ａは、共有画像を、グループ表示装置２００Ｂと共有することができる。すなわち、２０１号室に在室するユーザーが、所有している画像を、１０２号室、２０４号室、３０２号室、４０３号室に在室しているユーザーと共有したいと思った場合に、画像を共有することができる。すなわち、２０１号室、１０２号室、２０４号室、３０２号室、４０３号室のそれぞれに在室しているユーザーは、共有画像を見ることができる。
【００８９】
このとき、これらのユーザーは、グループ表示装置２００Ｂの操作によって、共有画像を見ることができるので、同時並行以外に見ることができる。すなわち、独立したタイミングで、共有画像を見ることができる。
【００９０】
図４は、本発明の実施の形態１における画像の共有状態を示す模式図である。発信表示装置２００Ａが所有している共有画像３００は、当然に、発信表示装置２００Ａで表示できる。図４は、これを示している。この共有画像３００は、画像共有装置１を介して、上述の通り、グループ表示装置２００Ｂで共有可能となる。
【００９１】
共有可能となることで、グループ表示装置２００Ｂのそれぞれは、共有画像３００を、表示できるようになる。図４では、一斉に共有画像３００を表示いている状態を示しているが、グループ表示装置２００Ｂのそれぞれの意思とタイミングに合わせて表示されればよい。記憶部２に記憶されて、共有可能な状態である限り、グループ表示装置２００Ｂは、好きなタイミングで好きな共有画像を表示することができる。
【００９２】
もちろん、共有画像は複数であってもよいので、複数の共有画像のいずれかあるいは全部を、好きなタイミングや順序で、グループ表示装置２００Ｂは、表示できる。例えば、会合で撮像された複数の写真が共有画像とされた場合においては、グループ表示装置２００Ｂは、これら複数の写真を、好きなタイミングや順序で見ることができる。
【００９３】
好きなタイミングで自由に見ることができるので、グループ表示装置２００Ｂのユーザーが不在の時間があっても、戻ってくれば、共有画像を表示できる。
【００９４】
以上のように、実施の形態１における画像共有装置１は、ある発信表示装置２００Ａの有する画像を、特定のグループとなるグループ表示装置２００Ｂのみに、表示可能に共有できる。このとき、施設１００に設置されており、グループ表示装置２００Ｂ以外の他の表示装置２００には、画像は共有されない。このため、発信表示装置２００Ａのユーザーは、安心して画像を共有できる。
【００９５】
なお、グループ要求信号の受信対象ではない、表示装置２００は、当然にグループ表示装置２００Ｂにはなれず、記憶部２に記憶されている共有画像を閲覧することや共有することはできない。
【００９６】
（実施の形態２）
【００９７】
次に、実施の形態２について説明する。実施の形態２では、発信表示装置２００Ａが、共有画像を得る態様について説明する。
【００９８】
図５は、本発明の実施の形態２における発信表示装置と携帯端末との関係を示す模式図である。実施の形態１で説明した通り、発信表示装置２００Ａは、共有したい共有画像を、記憶部２に送信する。この共有画像は、最初から発信表示装置２００Ａに記憶されていることもあり得るが、発信表示装置２００Ａの居室１１０のユーザーによって所有されていることが普通である。
【００９９】
例えば、会合に出席したこのユーザーは、自身の携帯端末で写真や動画などを撮像している。この携帯端末で撮像した画像を共有したいと考える。この場合には、携帯端末に記憶されている画像を、そのまま画像共有装置１に送信してもよいが、発信表示装置２００Ａ経由で送信することが、好ましい。
【０１００】
このため、図５のように、ユーザーの所有する携帯端末４００に記憶されている画像が発信表示装置２００Ａに転送されてから、画像共有装置１での画像の共有が開始されることでもよい。
【０１０１】
すなわち、発信表示装置２００Ａから記憶部２に書き込まれる共有画像は、発信表示装置２００Ａを使用するユーザーが所有する携帯端末４００に記憶されている。図５のように、携帯端末４００は、この記憶している画像を、発信表示装置２００Ａに転送する（送信する）。この転送によって、発信表示装置２００Ａが共有画像を記憶する状態となる。
【０１０２】
そのあとで、発信表示装置２００Ａは、共有画像を、記憶部２に書き込む。この結果、実施の形態１で説明したような画像共有が開始される。
【０１０３】
（実施の形態３）
【０１０４】
実施の形態３においては、グループ要求信号から、複数の表示装置２００の内、グループ化される態様について説明する。
【０１０５】
図６は、本発明の実施の形態３におけるグループ化を示す模式図である。発信表示装置２００Ａは、画像共有装置１にグループ要求信号を送信する。グループ要求信号は、施設１００の居室１１０に設置されている複数の表示装置２００の内、画像を共有したいグループを指定する内容（グループ化）を含んでいる。図２からの流れで言えば、１０２号室、２０４号室、３０２号室、４０３号室のそれぞれに設置してある画像表示装置２００が、グループ化の対象である。言い換えれば、１０２号室、２０４号室、３０２号室、４０３号室がグループ化の対象である。
【０１０６】
このため、グループ要求信号は、複数の表示装置２００の内、グループ化される表示装置２００の識別子が指定されている。図２では、１０２号室、２０４号室、３０２号室、４０３号室の表示装置２００を示す識別子が指定されている。
【０１０７】
制御部６が、このグループ要求信号を受信する。グループ要求信号を受信した制御部６は、識別子に対応する表示装置２００（ここでは、１０２号室、２０４号室、３０２号室、４０３号室の表示装置２００）に、グループ化の同意を問い合わせる問い合わせ信号を送信する。図６では、この問い合わせ信号の送信が示されている。
【０１０８】
問い合わせ信号を受信した表示装置２００は、このユーザーによって、了承もしくは拒否の回答信号を、制御部６に送信する。制御部６は、了承の回答信号を送信した表示装置２００を、グループ表示装置２００Ｂとして、決定する。図６では、１０２号室、２０４号室、３０２号室、４０３号室の全ての表示装置２００から了承の回答を受ければ、これらすべてをグループ表示装置２００Ｂとする。もちろん、一部のみが了承として回答信号を送信した場合には、この了承の回答信号を送信した表示装置２００のみを、グループ表示装置２００Ｂとして決定する。
【０１０９】
このようにして、グループ表示装置２００Ｂとなった表示装置２００は、記憶部２に記憶された共有画像を読み出して表示させることができる。このとき、表示制御部５が、読み出し部４を介して記憶部２から共有画像を読み出す。読み出された共有画像を、表示制御部５がグループ表示装置２００Ｂに表示する。
【０１１０】
このとき、グループ表示装置２００Ｂが、表示制御部５への指示信号を出すことで、共有画像を表示することでもよい。すなわち、グループ表示装置２００Ｂのユーザーが、グループ表示装置２００Ｂを操作することで、指示信号を送信する。この指示信号によって、表示制御部５が動作して、共有画像をグループ表示装置２００Ｂに表示させることができるようになる。
【０１１１】
このとき、グループ表示装置２００Ｂは、ユーザーの操作によって、好きなタイミングで好きな共有画像を表示することができる。共有画像が複数の写真や動画を含む場合には、これらの内、ユーザーが欲するものを欲するタイミングで表示できる。グループ表示装置２００Ｂが複数ある場合には、複数のグループ表示装置２００Ｂのそれぞれが、独立して共有画像を表示可能である。
【０１１２】
また、発信表示装置２００Ａも、結果的にグループ表示装置２００Ｂの一部を構成できる。すなわち、図２、図３の状態であれば、１０２号室、２０４号室、３０２号室、４０３号室と２０１号室に設置されている表示装置２００が、全てグループ表示装置２００Ｂとなる。
【０１１３】
この状態において、グループ表示装置２００Ｂの少なくとも一部は、記憶部２に、自身の所有する画像を、書き込むことができる。すなわち、１０２号室、２０４号室、３０２号室、４０３号室のいずれかも、画像を記憶部２に書き込むことができる。この結果、共有して閲覧可能となる共有画像は、複数のグループ表示装置２００Ｂによって、増加しうる。
【０１１４】
図７は、本発明の実施の形態３におけるグループ表示装置のいずれかから共有画像が書き込まれる状態を示すブロック図である。図７では、グループ表示装置２００Ｂとなった１０２号室、２０４号室、３０２号室、４０３号室の表示装置も、共有画像を、記憶部２に書き込んでいる。
【０１１５】
また、１０２号室、２０４号室、３０２号室、４０３号室の表示装置から書き込まれた共有画像を、発信表示装置２００Ａが読み出して表示できる。結果として、発信表示装置２００Ａを含むグループ表示装置２００Ｂが、お互いに共有画像を提供して、お互いに閲覧できる状態が生じている。このように、グループ表示装置２００Ｂとしてグループ化された表示装置同士で、それぞれが持っている画像を共有することができるようになる。
【０１１６】
結果として、共有できる画像が多くなり、グループ化されたユーザーの楽しみが増加する。
【０１１７】
なお、グループ要求信号を受信していない表示装置２００は、グループ表示装置２００Ｂにはなれない。すなわち、１０２号室、２０４号室、３０２号室、４０３号室および発信表示装置２００Ａである２０１号室以外の表示装置２００は、グループ表示装置２００Ｂとならない。
【０１１８】
このように、限られたグループを施設１００において形成できることで、ユーザーは安心して画像共有装置１を使用できる。
【０１１９】
（実施の形態４）
【０１２０】
次に実施の形態４について説明する。実施の形態４では、種々の安全対策について説明する。
【０１２１】
（共有画像の消去）
図８は、本発明の実施の形態４における記憶部に書き込まれた共有画像の消去を説明するフローチャートである。実施の形態１〜３で説明したように、記憶部２に共有画像が書き込まれる。記憶部２に書き込まれた共有画像は、グループ表示装置２００Ｂによって閲覧が可能な状態となる。
【０１２２】
しかしながら、施設１００は、宿泊施設であることがある。図２での２０１号室や１０２号室などのユーザー（宿泊客）は、日々変わりうる。このとき、記憶部２に共有画像がずっと残っていると、前日のユーザーと全く関係の無い宿泊客が、この共有画像を閲覧できてしまう問題が生じる。
【０１２３】
このため、制御部６は、記憶部２に記憶されている共有画像を、所定時間経過後もしくは所定時刻になると、消去する。図８は、この手順を示している。
【０１２４】
例えば、施設１００が宿泊施設であれば、書き込みされてから１０時間後に共有画像が消去される。あるいは、翌日のチェックアウト時刻に合わせて消去される。制御部６が、これらの消去をコントロールすればよい。所定時間経過後もしくは所定時刻になると共有画像が記憶部２から消去されることで、関係ない人に画像を見られることの危険性を防止できる。
【０１２５】
もちろん、所定時間や所定時刻は、種々の設定が可能であることも好適である。制御部６に対して、プログラムによって設定を与えることができる。
【０１２６】
（共有画像の制限）
発信表示装置２００Ａもしくはグループ表示装置２００Ｂのいずれかは、記憶部２に共有画像を書き込むことができる。この共有画像は、既述したように、グループ表示装置２００Ｂによって共有して閲覧可能である。グループ化されたユーザーのみで閲覧可能であることで、グループのユーザーとの楽しみの共有ができる。
【０１２７】
しかしながら、誤って好ましくない画像が書き込まれて共有されてしまう懸念もある。例えば、グループで見せるものではなく、プライベートな画像を間違えて書き込むこともある。あるいは、道徳的に好ましくない画像を、間違えて共有画像として書き込むこともありえる。
【０１２８】
このため、書き込み部３は、発信表示装置もしくはグループ表示装置からの画像を一定の基準で判断して、記憶部２への書き込みの可否を決定できる。例えば、画像に含まれる撮像日時、撮像場所、撮像人物の色味および撮像人物の少なくとも一部に基づいて、書き込み部３は、可否を決定できる。
【０１２９】
例えば、他の画像と撮像日時が異なる画像は、グループに共有されるべきではない画像の可能性がある。会合の写真を共有したいと思っていながら、会合と異なる撮像日時の写真は、共有対象でない可能性がある。このように、撮像日時によって、共有画像として記憶部２に書き込むのを止めることができる。
【０１３０】
あるいは、撮像場所も同様である。他の画像と明らかに撮像場所が異なる画像も、本来は、グループで共有すべきではない可能性が高い。プライベートな画像である可能性が高い。この場合にも、書き込み部３は、この画像を記憶部２に書き込むことを制限することが適当である。書き込み部３は、撮像場所に基づいて、画像の記憶部２への書き込みの可否を決定できる。
【０１３１】
撮像人物の色味や撮像人物は、道徳的に好ましくない画像である可能性を示している。このような場合にも、書き込み部３は、記憶部２への書き込みを制限する。
【０１３２】
このように、画像の特徴に基づいて、書き込み部３は、画像の記憶部２への書き込みの可否を決定できる。結果として、共有すべきでない画像を、共有対象としないで済ますことができる。
【０１３３】
（共有画像の消去）
共有画像は、グループ表示装置２００Ｂおよび発信表示装置２００Ａによって、共有されて閲覧される。このとき、種々の共有画像の内、閲覧するグループ表示装置２００Ｂのユーザーから好ましくないとの反応が生じる共有画像が生じる可能性もある。
【０１３４】
好ましくない基準は上述したように、共有すべきでないプライベートな画像や、道徳的に好ましくない画像である。このような場合には、ユーザーは、グループ表示装置２００Ｂを通じて、好ましくないとの意思表示を行うことができる。例えば、グループ表示装置２００Ｂの操作を通じて、行える。
【０１３５】
このような意思表示は、指示信号としてグループ表示装置２００Ｂから制御部６に送信される。制御部６は、この指示信号を受信できる。
【０１３６】
制御部６は、グループ表示装置２００Ｂの一定数以上が、好ましくないとの判断をする場合に、共有画像を記憶部２から消去することができる。書き込み部３を介して消去すればよい。この消去によって、一定数以上のグループ化されたユーザーが好ましくないと考える共有画像が、以降において共有されなくなる。
【０１３７】
（ダウンロードの制限）
共有画像は、記憶部２に記憶されている。記憶部２に共有画像が記憶されていることで、グループ表示装置２００Ｂは、閲覧できるようになる。発信表示装置２００Ａを介して共有画像を提供したユーザーは、閲覧については許可するが、所有については許可したくないこともある。あくまでも、画像の保有は自身のみでよいと考えることがあるからである。あるいは、権利関係の問題で、画像の所有を他に許可したくないこともある。
【０１３８】
このような場合に対応して、制御部６は、記憶部２に記憶されている共有画像のダウンロードを制限することができる。すなわち、制御部６は、共有画像が、グループ表示装置２００Ｂによってダウンロードされることを制限することができる。
【０１３９】
この制限によって、所有の制限を行え、発信表示装置２００Ａ（あるいはグループ共有装置２００Ｂ）のユーザーは、安心して共有画像を提供することができるようになる。
【０１４０】
（居室との関係）
発信表示装置２００Ａは、グループ要求信号を送信する。図３や図６に示されるように、２０１号室の表示装置２００が発信表示装置２００Ａとして、グループ要求信号を送信する。このとき、グループ要求信号は、１０２号室、２０４号室、３０２号室、４０３号室をグループ化することを、情報として含んでいる。
【０１４１】
制御部６は、このグループ要求信号を受けて、グル―プ化を実行する。
【０１４２】
しかしながら、発信表示装置２００Ａの間違いにより、本来グループ化すべきでない居室１１０を、グループ要求信号に含んでいることもありえる。本来は仲間でないユーザーの居室１１０を含んでいるなどである。
【０１４３】
一方で、施設１００が宿泊施設やオフィスであれば、居室１１０同士の関係性が明確であることがある。例えば、団体客が施設１００に宿泊している場合には、居室１１０の識別子と、団体客との関連性が対応している。例えば、１０２号室、２０４号室、３０２号室、４０３号室の内、２０４号室は、団体客の一部ではないこともある。
【０１４４】
制御部６は、このような特定の関係性を含んでいない居室１１０が、グループ要求信号に含まれている場合には、発信表示装置２００Ａに警告を出すことができる。この場合であれば、２０４号室はグループ化の対象として間違いではないかという警告を出すことができる。この警告を受けた発信表示装置２００Ａは、確認をし直して、改めて正しいグループ要求信号を送信することができる。
【０１４５】
以上のように、実施の形態４の画像共有装置１は、種々の安全対策を講じることができ、利用の便宜を高めることができる。
【０１４６】
なお、実施の形態１〜２説明されたアプリケーションの制御装置は、本発明の趣旨を説明する一例であり、本発明の趣旨を逸脱しない範囲での変形や改造を含む。
【符号の説明】
【０１４７】
１    画像共有装置
２    記憶部
３    書き込み部
４    読み出し部
５    表示制御部
６    制御部
１００    施設
１１０    居室  
２００    表示装置
２００Ａ    発信表示装置
２００Ｂ    グループ表示装置
３００    共有画像
４００    携帯端末
【図１】
2019028903.tif 000003
【図２】
2019028903.tif 000004
【図３】
2019028903.tif 000005
【図４】
2019028903.tif 000006
【図５】
2019028903.tif 000007
【図６】
2019028903.tif 000008
【図７】
2019028903.tif 000009
【図８】
2019028903.tif 000010